(57)【要約】【課題】枕内部に芯材を充填しない空洞部分を持ち、かつ快適なクッション性を実現し、さらに枕内部の空洞部分に特にスピーカーシステムを設置することで心地よく音楽等を楽しめる枕を提供する。【解決手段】左右間距離が保持されるように固定されている左右一対の側面壁枠片と底面枠片により硬質材で形成される支持枠と、側面壁枠片の一方から反対側に小間隔で左右に渡し架けられた複数の可撓性部材とその上面をクッション材を生地材で覆い形成されるクッション部からなり、さらに枕内部の空間にスピーカーシステム等を設置することができる枕。【選択図】図１
2019024975.tif 000002
【特許請求の範囲】
【請求項１】
底面枠片・左右の側面壁枠片の三つの枠片で成る支持枠と、支持枠に支えられて人の頭部を載せ置く頭部載置部とで成る枕体であるが、支持枠は硬質材で成り、左右の側面壁枠片は、左右対称に形成されているのであるが、底面枠片の前端より少し突き出ており、
この様に形成された支持枠において、左右の側面壁枠片から、可撓性材質で成る多数の張り紐が小間隔で左右に渡し架けられ形で、寝ている人の頭部が載せ置かれる頭部載置部が形成されており、斯様な支持枠及び頭部載置部から成ることを特徴とする多機能枕。
【請求項２】
内部空間に特にスピーカーシステムを設置してあることを特徴とする請求項１に記載の多機能枕。
【発明の詳細な説明】
【技術分野】
【０００１】
本発明は、寝具として用いる枕に関するものであり、更に詳しくは枕上部に張り渡した弾性体により頭部を支持することにより快適な寝心地が得られ、かつ内部の空洞部分に特に高音質なスピーカーシステムの設置を可能とする枕に関する。
【背景技術】
【０００２】
枕の中には、箱枕といった直方体形状で内部に収納機能をもつ枕があった。（江戸期から明治時代）ただし、これらの枕は素材が硬くクッション性が良くないため、現在では普及していない。一般的に枕は外被布内に芯材を充填したもの及びクッション性素材を成形した、枕内部に空洞部分のない構造が普及している。
【０００３】
空洞部分がありクッション性を持つ枕として、たとえば特許文献１に示す構造が開示されている。この枕は内部に空洞を有する可撓部材から形成される扁平な直方体形状の頭載部材と、頭載部材の空洞の上方部分を上方に付勢して支持するように、空洞に設けられた付勢装置とを有する枕であって、付勢装置は、頭載部材の上に人の頭部を載せた状態で頸部が位置する側を前側、頭頂部が位置する側を後側として、左右間距離が保持されるように固定されている左右一対の矩形リンク機構と、矩形リンク機構の上端後方部分間に張り渡たされた張渡部材とを備え、頭載部材の中央部に人の頭部を載せて寝たときに、頭載部材の空洞の上方部分の下面が矩形リンク機構の上面を越えて沈み込むことを特徴する。(特許文献１参照）
【０００４】
また、枕に寝具としての機能以外に音楽等を聴くためのスピーカーを内蔵した枕がある。例えば、特許文献２に示す構造が開示されている。この枕は弾性材料によって形成された枕本体と、この枕本体の幅方向中央部の下面に幅方向に沿って湾曲するとともにこの幅方向と交差する前後方向に沿って形成された湾曲凹部と、上記枕本体を収容した外装地と、上記枕本体の幅方向両端部に形成された一対の収容部と、一対の収容部に音声を出力する前面を上にして設けられ上記枕本体の幅方向中央部の上面に利用者が頭部を載せてこの枕本体が弾性変形して幅方向中央部が上記湾曲凹部側に沈むことで上記前面が幅方向内方に傾斜する一対のスピーカとを具備したことを特徴とする。(特許文献２参照）
【先行技術文献】
【特許文献】
【０００５】
【特許文献１】特開２０１０−０７５３７３号公報
【特許文献２】特開２００６−１３０２９３号公報
【発明の概要】
【発明が解決しようとする課題】
【０００６】
しかしながら、特許文献１に開示された枕においては、頭部の自重により空洞の上方部分が沈み込むため、中空部分に一定の高さをもつ筐体を設置するには問題がある。
【０００７】
また、特許文献２に開示された枕においては、スピーカーの音の出る部分（以下スピーカーユニットとする）を取り付ける筐体（以下エンクロージャーとする）を弾性材料の収容部に設る構造のため、高音質なスピーカーシステムを設置する際に必要とされるエンクロージャーの容積確保及びスピーカーユニットの制振において問題が生じる。
【０００８】
本発明は、以上の点に鑑み、枕内部に芯材を充填しない空洞部分を持ち、かつ快適なクッション性を実現し、さらに枕内部に空洞部分に特にスピーカーシステムを設置することで心地よく音楽等を楽しめる枕を提供することを目的とする。
【課題を解決するための手段】
【０００９】
略直方体形状の枕体を横長にして平置きした場合に於いて、人が仰向けに寝た状態で頭頂面側を後側、脛部が位置する側を前面とし、三方の各面を底面枠片・左右の側面壁枠片と呼称して説明する。底面と左右両側面壁との三方が閉じられた形で硬質材により支持枠を成し、左右の側面壁枠片は、左右対称に形成されているのであるが、前端面突端は底面枠片の前端より少し突き出ている。
この様に形成された支持枠において、可撓性部材で成る多数の張り紐が小間隔で左右に渡し架けられ、寝ている人の頭部が載せ置かれる頭部載置部が形成されている。頭部載置部の上面は生地材で包まれたクッション材で覆われている。
【００１０】
また、頭部の重さで頭部載置部が下方に沈み込んだ時にも、支持枠と可撓性張り紐の弾力によって確保される内部空間は、寝ながら音楽を楽しめるスピーカーシステムの設置や、枕機能の多彩性を付加するための補助機器類の設置を可能とする予備空間となっている。以上を特徴とする多機能枕である。
【発明の効果】
【００１１】
本発明の枕において、頭部載置部の可撓性部材が両側面から張り渡されていることにより、頭部を左右方向中央部に載せた場合の頭部の高さは、側壁面近くに載せたときよりも低くなる。一般的に人の頭部を仰向きに載せて寝たとき（以下、仰向き寝時という）は頭部の位置は枕中央部、人の頭部を横向きに載せて寝たとき（以下、横向き寝時という）では中央部よりも左右両側のいずれかに近い位置になることから、仰向き寝時の頭部の高さは横向き寝時よりも低くなる。さらに頭部を左右方向中央部に載せた場合の頭部の高さと側壁面近くに載せたときの高さの差は可撓部材の張力を変えることで調整可能である。つまり、仰向け寝時と横向き寝時いずれの寝姿勢でも理想的な頭部の高さに合わせることが可能となる。
【００１２】
左右の側面壁枠片の前端面突端が底面枠片の前端より少し突き出ていることにより、横向き寝時に肩が底面硬質材に当たることを回避でき、加えて頭部載置部が可撓性部材で形成されていることにから、スムースな寝返りと浮遊感のある独特の寝心地の良さが得られる。
【００１３】
頭部載置部の上面が生地材で包まれたクッション材で覆われていることにより、頭部が側面壁枠片の上部に載る状態で寝たときも硬質材の固さを感じないソフトな寝心地が得られる。
【００１４】
また、本発明の枕内部の空洞において、頭部が沈み込んだときにも干渉されない空間が確保されることから、特にスピーカーシステムを備えることで、これまでにない音楽の楽しみ方を提供できる。
【００１５】
なお、この空間には枕に機能性を持たせるために必要な機器類を備えることを可能とする。
【図面の簡単な説明】
【００１６】
【図１】本発明の斜視図である。
【図２】本発明のクッション部を除いた斜視図である。
【図３】本発明の頭部載置部を除いた斜視図である。
【図４】本発明の頭部載置部を除いて、スピーカーシステムを備えた斜視図である。
【発明を実施するための形態】
【００１７】
本発明の実施の一形態に係る枕を、図面を参照して説明する。
【００１８】
本発明の実施形態に係る枕１は、図１及び図２に示すように、略直方体形状で人が仰向けに寝た状態で頭頂部側を後側、頚部が位置する側を前側としている。
【００１９】
支持枠２は、左右間距離が保持されるように固定されている左右一対の側面壁枠片３と底面枠片５により形成されるが、左右の側面壁枠片の前端面突端は底面枠片の前端より少し突き出ている。
【００２０】
ここでは支持枠２は板状の硬質部材により形成されているが、十分な強度が得られる場合、板状の部材に限らない。
【００２１】
頭部載置部６は側面壁枠片３の一方から反対側に小間隔で左右に渡し架けられた複数の可撓性部材４から形成される。
【００２２】
ここでは、可撓性部材４は紐状の部材で形成されているが、頭部を支持できる強度と適度な可撓性を持つ部材であれば、紐状の部材には限らない。
【００２３】
クッション部７はクッション材８を生地材９で覆い形成されるが、生地材８は伸縮性素材が望ましい。
【００２４】
後壁面は支持枠の後側に接合させた後面壁枠片１０により補強するこが望ましいが、支持枠のみで十分な強度が得られる場合、または枕１内部に設置するスピーカーシステム１１を側面壁の間に配置し側面壁を補強する場合は必要としない。
【産業上の利用可能性】
【００２５】
枕内部の空間により、通気がよく快適な睡眠がえられるが、さらに枕に内部に冷風・温風を送り込むダクトを設けることにより季節に応じた快適性を得ることが可能となる。
【００２６】
枕の底面片、後面壁が硬質部材で形成されていることにより、タブレット型PCやスマートフォン用のスタンドをしっかり設置可能となるため、スピーカーシステムと合わせて動画等を楽しめるエンターテイメントツールとして活用できる。
【符号の説明】
【００２７】
１  枕    
2  支持枠
3  側面壁枠片
4  可撓部材
5  底面枠片
６  頭部載置部
７  クッション部
８  クッション材
９  生地材
１０  後面壁枠片
１１  スピーカーシステム
【図１】
2019024975.tif 000003
【図２】
2019024975.tif 000004
【図３】
2019024975.tif 000005
【図４】
2019024975.tif 000006